(57)【要約】【課題】  表示モードを切り換える際に、操作を簡単且つ容易にすること。【解決手段】  表示部１０７は、歩数を表示する表示モードＡにおいてキー入力手段１０６が切換操作されたことに応答して歩行距離を表示する表示モードＢに切り換えた後、表示モードＢにおいてキー入力手段１０６が切換操作されたとき、計時手段１０５が所定時間計時終了している場合には表示モードＡに表示切換を行って歩数表示を行い、計時手段１０５が所定時間計時終了していない場合には表示モードＣに表示切換を行って過去の歩行データを表示する。【選択図】  図１
2010009309.tif 000002
【特許請求の範囲】
【請求項１】
表示モードを切換操作する操作手段と、複数の表示モードを有し前記操作手段の操作に応答して前記表示モードを切り換える表示手段とを備えた電子機器において、
所定の条件が満たされたか否かを判定する判定手段を備え、
前記表示手段は、第１表示モードにおいて前記操作手段が切換操作されたことに応答して第２表示モードに切り換えた後、前記第２表示モードにおいて前記操作手段が切換操作されたとき、前記判定手段の判定結果に応じて前記第１表示モード又は第３表示モードに切り換えることを特徴とする電子機器。
【請求項２】
前記表示手段は、前記第１表示モードにおいて前記操作手段が切換操作されたことに応答して前記第２表示モードに切り換えた後、前記第２表示モードにおいて前記操作手段が切換操作されたとき前記所定の条件が満たされていると前記判定手段が判定した場合には前記第１表示モードに切り換え、前記第２表示モードにおいて前記操作手段が切換操作されたとき前記所定の条件が満たされていないと前記判定手段が判定した場合には前記第３表示モードに切り換えることを特徴とする請求項１記載の電子機器。
【請求項３】
歩行を検出して対応する歩数信号を出力する歩数検出手段と、前記歩数検出手段からの歩数信号に基づいて歩数を算出すると共に前記算出した歩数に基づいて歩行距離を算出する算出手段を備え、
前記第１、第２、第３表示モードは、各々、現時点の歩数を表示する表示モード、現時点の歩行距離を表示する表示モード、過去の歩行データを表示する表示モードであることを特徴とする請求項１又は２記載の電子機器。
【請求項４】
前記歩数検出手段は、前記第１、第２表示モードにおいて歩行検出して対応する歩数信号を出力し、前記第３表示モードでは歩行検出を行わないことを特徴とする請求項３記載の電子機器。
【請求項５】
前記判定手段は、前記第２表示モードに切り換えた時点からの経過時間を判定する時間判定手段であり、
前記表示手段は、前記第２表示モードにおいて前記操作手段が切換操作されたとき、前記時間判定手段が所定時間経過していると判定した場合には前記第１表示モードに切り換え、前記時間判定手段が前記所定時間経過していないと判定した場合には前記第３表示モードに切り換えることを特徴とする請求項１乃至４のいずれか一に記載の電子機器。
【請求項６】
前記判定手段は、前記第２表示モードに切り換えた時点からの歩数を判定する歩数判定手段であり、
前記表示手段は、前記第２表示モードにおいて前記操作手段が切換操作されたとき、前記歩数判定手段が所定歩数歩行していると判定した場合には前記第１表示モードに切り換え、前記時間判定手段が前記所定歩数歩行していないと判定した場合には前記第３表示モードに切り換えることを特徴とする請求項１乃至４のいずれか一に記載の電子機器。
【発明の詳細な説明】
【技術分野】
【０００１】
本発明は、時計、歩数計、心拍計をはじめとする、表示装置を有する各種電子機器に関する。
【背景技術】
【０００２】
従来から、時計、歩数計、心拍計をはじめとする、表示装置を有する各種電子機器が開発されている。
複数のモードを有する電子小型携帯機器において、表示モードＡ（メインモードであり歩数計の場合には例えば歩数表示モード）から表示モードＢ（サブモード１（歩数計の場合には例えば歩行距離表示））、表示モードＣ（サブモード２（歩数計の場合には例えば過去のデータ表示））にキー入力で移行する場合、常にＡ→Ｂ→Ｃ→Ａ→Ｂ→・・・・と順に表示モードを切り換えるものが一般的である。
しかしながら、通常サブモード２の使用頻度は非常に低く、サブモード１で使用していてもモード切り換えを行う際はメインモードに戻る場合が多い。このような電子小型携帯機器においては、従来のモード変更では、サブモード１で使用していた状態からメインモードに戻る場合、ボタン操作が複数回行われるため非常に煩わしく感じられる。
【０００３】
また、上記を改善するためにボタンを２つにし、ボタン１でＡ←→Ｂ、ボタン２でＡ←→ＣまたはＢ←→Ｃとボタン操作を少なくすることも一般的ではあるが、ボタン数の増加によるコストアップ、機器サイズの小型化が困難などの欠点がある。
さらに、特許文献１記載の発明のように、これを改善するためにボタン操作の短押し／長押しによって移行する表示モードが異なるようにしたものも知られているが、操作が非常に複雑となり使用しづらいという問題がある。
【０００４】
【特許文献１】特開２００６−８０８７４号公報
【発明の開示】
【発明が解決しようとする課題】
【０００５】
本発明は、表示モードを切り換える際に、操作を簡単且つ容易にすることを課題としている。
【課題を解決するための手段】
【０００６】
本発明によれば、表示モードを切換操作する操作手段と、複数の表示モードを有し前記操作手段の操作に応答して前記表示モードを切り換える表示手段とを備えた電子機器において、所定の条件が満たされたか否かを判定する判定手段を備え、前記表示手段は、第１表示モードにおいて前記操作手段が切換操作されたことに応答して第２表示モードに切り換えた後、前記第２表示モードにおいて前記操作手段が切換操作されたとき、前記判定手段の判定結果に応じて前記第１表示モード又は第３表示モードに切り換えることを特徴とする電子機器が提供される。
表示手段は、第１表示モードにおいて操作手段が切換操作されたことに応答して第２表示モードに切り換えた後、前記第２表示モードにおいて前記操作手段が切換操作されたとき、判定手段の判定結果に応じて前記第１表示モード又は第３表示モードに切り換える。
【０００７】
ここで、前記表示手段は、前記第１表示モードにおいて前記操作手段が切換操作されたことに応答して前記第２表示モードに切り換えた後、前記第２表示モードにおいて前記操作手段が切換操作されたとき前記所定の条件が満たされていると前記判定手段が判定した場合には前記第１表示モードに切り換え、前記第２表示モードにおいて前記操作手段が切換操作されたとき前記所定の条件が満たされていないと前記判定手段が判定した場合には前記第３表示モードに切り換えるように構成してもよい。
また、歩行を検出して対応する歩数信号を出力する歩数検出手段と、前記歩数検出手段からの歩数信号に基づいて歩数を算出すると共に前記算出した歩数に基づいて歩行距離を算出する算出手段を備え、前記第１、第２、第３表示モードは、各々、現時点の歩数を表示する表示モード、現時点の歩行距離を表示する表示モード、過去の歩行データを表示する表示モードであるように構成してもよい。
【０００８】
また、前記歩数検出手段は、前記第１、第２表示モードにおいて歩行検出して対応する歩数信号を出力し、前記第３表示モードでは歩行検出を行わないように構成してもよい。
また、前記判定手段は、前記第２表示モードに切り換えた時点からの経過時間を判定する時間判定手段であり、前記表示手段は、前記第２表示モードにおいて前記操作手段が切換操作されたとき、前記時間判定手段が所定時間経過していると判定した場合には前記第１表示モードに切り換え、前記時間判定手段が前記所定時間経過していないと判定した場合には前記第３表示モードに切り換えるように構成してもよい。
【０００９】
また、前記判定手段は、前記第２表示モードに切り換えた時点からの歩数を判定する歩数判定手段であり、前記表示手段は、前記第２表示モードにおいて前記操作手段が切換操作されたとき、前記歩数判定手段が所定歩数歩行していると判定した場合には前記第１表示モードに切り換え、前記時間判定手段が前記所定歩数歩行していないと判定した場合には前記第３表示モードに切り換えるように構成してもよい。
【発明の効果】
【００１０】
本発明の電子機器によれば、表示モードを切り換える際に、操作を簡単且つ容易にすることが可能になる。
【発明を実施するための最良の形態】
【００１１】
以下、本発明の実施の形態に係る電子機器について、図面を参照しながら説明する。尚、各図において、同一部分には同一符号を付している。
図１は、本発明の第１の実施の形態に係る電子機器のブロック図で、歩数計の例を示している。
図１において、歩数計は、中央処理装置（ＣＰＵ）１０１、ＣＰＵ１０１が実行するプログラムを予め記憶した読み出し専用メモリ（ＲＯＭ）１０２、測定した歩数データや使用者の歩幅等の設定情報を記憶するランダムアクセスメモリ（ＲＡＭ）１０３、使用者の歩行（走行を含む。）を検出して対応する歩数信号を出力する歩数検出手段１０４、時間を計時する計時手段１０５、操作ボタン等によって構成されたキー入力手段１０６、歩数や歩行距離等を表示する表示部１０７を備えている。
尚、図１の歩数計は、使用者の腰に装着したり、使用者が携帯するバッグ等に収納して使用する携帯型の歩数計の例を示している。
【００１２】
ここで、ＣＰＵ１０１は判定手段、算出手段を構成している。ＲＯＭ１０２及びＲＡＭ１０３は記憶手段を構成している。キー入力手段１０６は操作手段を構成している。表示部１０７は表示手段を構成している。
操作手段は表示モードを切換操作することができる。判定手段は所定の条件が満たされたか否かを判定することができる。表示手段は複数の表示モードを有し前記操作手段の操作に応答して前記表示モードを切り換えることができ、表示モードＡ（第１表示モード）において前記操作手段が切換操作されたことに応答して表示モードＢ（第２表示モード）に切り換えた後、表示モードＢにおいて操作手段が切換操作されたとき、判定手段の判定結果に応じて表示モードＡ又は表示モードＣ（第３表示モード）に切り換えることができる。
【００１３】
また、前記判定手段は時間判定手段でもよく、この場合、表示モードＢに切り換えた時点からの経過時間を判定することができる。また、前記判定手段は歩数判定手段でもよく、表示モードＢに切り換えた時点からの歩数を判定することができる。
図２は、本第１の実施の形態における表示モード切換処理のフローチャートで、ＣＰＵ１０１がＲＯＭ１０２に予め記憶されたプログラムを実行することによって行う処理を示している。
【００１４】
以下、図１及び図２を用いて本第１の実施の形態に係る歩数計の表示モード切換処理について説明する。
先ず、使用者は本第１の実施の形態に係る歩数計を腕に装着し電源を投入して歩行を開始し、ＣＰＵ１０１は歩数信号の検出を開始する（ステップＳ２０１）。
前記の如くして電源を投入した初期状態では、表示部１０７は表示モードＡ（第１表示モード）になる。表示モードＡは歩数を表示する表示モードである。
歩数検出手段１０４は歩行を検出する毎に対応する歩数信号をＣＰＵ１０１に出力する。ＣＰＵ１０１は、歩数検出手段１０４からの歩数信号を検出した場合（ステップＳ２０３）、ＲＡＭ１０３に記憶している現在までの歩数に１歩加算すると共に、ＲＡＭ１０３に予め設定されている使用者の１歩分の歩幅を前記現在までの歩行距離に加算することにより、現時点の累積歩数及び歩行距離を算出する（ステップＳ２０４）。表示部１０７は前記計数した現時点の歩数を表示する（ステップＳ２０５）。
【００１５】
ＣＰＵ１０１は、キー入力手段１０６によるキー入力操作が無ければ処理ステップＳ２０３に戻って前記処理を繰り返す（ステップＳ２０６）。このようにして、表示モードＡでは、測定した現時点の歩数を表示部１０７に表示する。
ＣＰＵ１０１は、処理ステップＳ２０６において、キー入力手段１０６によるキー入力操作が行われたことを検出すると、表示モードＢ（第２表示モード）に移行する（Ｓ２０７）。表示モードＢは現時点の歩行距離を表示する表示モードである。
ＣＰＵ１０１は、キー入力手段１０６によって表示モードＢへの切換操作が行われると、計時手段１０５に所定時間の計時動作（例えば１０秒間のカウントダウン動作）を開始させる（ステップＳ２０８）。
【００１６】
表示モードＢにおいても歩数測定動作を継続するため、歩数検出手段１０４は歩行を検出する毎に対応する歩数信号をＣＰＵ１０１に出力する。ＣＰＵ１０１は、歩数検出手段１０４からの歩数信号を検出した場合（ステップＳ２０９）、ＲＡＭ１０３に記憶している現在までの歩数に１歩加算すると共に、ＲＡＭ１０３に予め設定されている使用者の１歩分の歩幅を前記現在までの歩行距離に加算することにより、現時点の累積歩数及び歩行距離を算出する（ステップＳ２１０）。表示部１０７は前記計数した現時点の歩行距離を表示する（ステップＳ２１１）。
ＣＰＵ１０１は、キー入力手段１０６によるキー入力操作が無ければ処理ステップＳ２０９に戻って前記処理を繰り返す（ステップＳ２１２）。このようにして、表示モードＢでは、現時点の歩行距離を表示部１０７に表示する。
【００１７】
ＣＰＵ１０１は、処理ステップＳ２１２において、キー入力手段１０６によるキー入力操作が行われたことを検出したとき、所定の条件が満たされていると判定すると（即ち、本実施の形態では、計時手段１０５が前記所定時間の計時動作を終了したと判定すると）、処理ステップＳ２０２に戻って表示部１０７が表示モードＡに切り換わる（ステップＳ２１３）。
ＣＰＵ１０１は、処理ステップＳ２１３において、所定の条件が満たされていないと判定すると（即ち、本実施の形態では、計時手段１０５が前記所定時間の計時動作を終了していないと判定すると）、表示部１０７は表示モードＣ（第３表示モード）に切り換わる（ステップＳ２１４）。表示モードＣは過去データ（例えば過去の走行データ（過去の歩数データや過去の歩行距離データ））を表示する表示モードである。
【００１８】
ＣＰＵ１０１は、表示モードＣに切り換わると、歩数検出手段１０４に歩数信号の検出動作を停止させ（ステップＳ２１５）、又、計時手段１０５の計時動作を停止させる（ステップＳ２１６）。その後、表示部１０７は、過去データとして、例えば、過去の歩数や過去の歩行距離を表示する（ステップＳ２１７）。
この状態でＣＰＵ１０１は、キー入力手段１０６によるキー入力操作が行われたことを検出すると、処理ステップＳ２０２に移行して表示部１０７を表示モードＡに切り換える（ステップＳ２１８）。
【００１９】
以上のように、本第１の実施の形態に係る電子機器では、キー入力手段１０６による表示モード切換操作が行われた際、所定の表示モード（第２表示モード）に入った時点からの経過時間に応じて、次の表示モードを決定するようにしているため、操作が簡単で容易である。また、キー入力手段を１ボタンで構成しても切換操作が可能なため、機器のサイズの小型化に有利である。
【００２０】
図３は、本発明の第２の実施の形態に係る電子機器のブロック図で、歩数計の例を示している。本第２の実施の形態では、計時手段の代わりに歩数カウンタ３０１を使用している点で前記第１の実施の形態と相違している。
図４は、本第２の実施の形態における表示モード切換処理のフローチャートで、ＣＰＵ１０１がＲＯＭ１０２に予め記憶されたプログラムを実行することによって行う処理を示している。
以下、図３及び図４を用いて、前記第１の実施の形態と相違する点について説明する。
【００２１】
ＣＰＵ１０１は、処理ステップＳ２０６において、キー入力手段１０６によるキー入力操作が行われたことを検出して、表示モードＢ（第２表示モード）に切り換えた後（Ｓ２０７）、歩数カウンタ３０１に所定の歩数値（例えば１００歩）をセットする（ステップＳ４０１）。ＣＰＵ１０１は、歩数検出手段１０４から歩数信号が入力される毎に歩数カウンタ３０１に前記歩数値の減算動作を行わせる（ステップＳ４０２）。
次に、ＣＰＵ１０１は、キー入力手段１０６によるキー入力操作が行われたことを検出した場合（ステップＳ４０３）、所定の条件が満たされていると判定すると（即ち、本実施の形態では、歩数カウンタ３０１がセットされた所定歩数値の計数を終了していると判定すると）、処理ステップＳ２０２に戻って表示部１０７を表示モードＡに切り換える（ステップＳ４０４）。
【００２２】
ＣＰＵ１０１は、処理ステップＳ４０４において、所定の条件が満たされていないと判定すると（即ち、本実施の形態では、歩数カウンタ３０１がセットされた所定歩数値の計数を終了していないと判定すると）、表示部１０７を表示モードＣに切り換え（ステップＳ２１４）、以後前述した処理を行う。
以上のように、本第２の実施の形態に係る電子機器では、キー入力手段１０６による表示モード切換操作が行われた際、所定の表示モード（第２表示モード）に入った時点から測定した歩数に応じて、次の表示モードを決定するようにしているため、操作が簡単で容易である。また、キー入力手段を１ボタンで構成しても切換操作が可能なため、機器のサイズの小型化に有利である。
【００２３】
尚、前記実施の形態では、電子機器の例として歩数計の例で説明したが、心拍を測定する心拍計等の複数の表示モードを有する電子機器に適用可能である。
また歩数計としては、少なくとも歩行センサを腰に装着して使用する腰歩数計、少なくとも歩行センサを携帯カバンに収納し所持して使用する歩数計等の歩数計をはじめとして、複数の表示モードを有する各種電子機器に利用可能である。
【産業上の利用可能性】
【００２４】
歩数計や心拍計をはじめとして複数の表示モードを有する各種電子機器に利用可能である。
【図面の簡単な説明】
【００２５】
【図１】本発明の第１の実施の形態に係る電子機器のブロック図である。
【図２】本発明の第１の実施の形態に係る電子機器の処理を示すフローチャートである。
【図３】本発明の第２の実施の形態に係る電子機器のブロック図である。
【図４】本発明の第２の実施の形態に係る電子機器の処理を示すフローチャートである。
【符号の説明】
【００２６】
１０１・・・ＣＰＵ
１０２・・・ＲＯＭ
１０３・・・ＲＡＭ
１０４・・・歩数検出手段
１０５・・・計時手段
１０６・・・キー入力手段
１０７・・・表示部
３０１・・・歩数カウンタ
【図１】
2010009309.tif 000003
【図２】
2010009309.tif 000004
【図３】
2010009309.tif 000005
【図４】
2010009309.tif 000006